(57)【要約】      （修正有）【課題】生地の化学粘着成分の接着力ではなく、シートの静電気と未硬化ジェルのべたつきを利用して接着できる新しいジェルネイル専用デコレーションシートを提供する。【解決手段】化学的接着剤生地ではなく、フィルム離型紙上部に直接インクを噴射して印刷された粘着剤のないジェルネイルアート用シートに関するものである。具体的には、PETフィルム離型紙１上部に塗布しフィルム離型紙とシートの離脱のためのアクリル系樹脂離型コーティング層２、装飾模様を形成し、フィルム離型紙との静電結合力を形成するアクリル系ウレタンカラーインク層３、装飾模様の表面を保護し、シール全体の軟質性を形成する第1のウレタンコーティング層４、および紫外線から装飾模様の変色や爪を保護する役割を果たす第2のウレタンコーティング層５を含むジェルネイルシートおよびこれを用いたジェルネイル施術方法に関する。【選択図】図２
2017029679.tif 000002
【特許請求の範囲】
【請求項１】
PETフィルム離型紙（1）;
PETフィルム離型紙（1）上部に噴射塗布して形成されるフィルム離型紙とシートの離脱のためのアクリル系樹脂離型コーティング層（2）;
その上部に噴射塗布して形成される、シート装飾模様を形成し、フィルム離型紙との静電結合力を形成するアクリル系ウレタンカラーインク層（3）;
その上部に噴射塗布して形成される、装飾模様の表面を保護し、シール全体の軟質性を形成する第1のウレタンコーティング層（4）;と
その上部に噴射塗布して形成される、紫外線から装飾模様の変色や爪を保護する役割を果たす第2のウレタンコーティング層（5）と
を備えることを特徴とするジェルネイル装飾シート。
【請求項２】
発色用ジェルと透明ジェルネイルの塗布段階;
ジェルネイルの硬化段階;
第1項の規定によるデコレーションシートの付着段階;および
透明ジェルネイル塗布段階
を備えることを特徴とするジェルネイル施術方法。
【発明の詳細な説明】
【技術分野】
【０００１】
本発明は、ジェルネイルを用いた爪の美容において、ジェルネイル上部に新しい方法で付着する装飾シート及びこれを用いたジェルネイル施術方法に関するものである。
【背景技術】
【０００２】
最近の爪の美容では、光沢感が高く持続力が強いジェル素材を使った施術が増えている。ネイルアートにおいて、ネイル上部に装飾シートを貼付して、様々なネイルアートの効果を高めようとするのが一般的になっている。
【０００３】
しかし、通常のネイル装飾シートは、化学接着成分を持つ生地に印刷し作られているネイルの最後の段階でこれらの粘着性を利用して付着する方法で使用されてきた。
【０００４】
通常、実際のジェルネイルにおいて装飾シールを使用するためのネイル施術過程は下記のようにいくつかの段階で行われる。
【０００５】
（i）発色用ジェルネイルの塗布段階→（ii）透明ジェルネイルの塗布段階→（iii）ジェルネイル乾燥専用ライトを用いたジェル硬化段階→（iv）専用ライトを用いたジェル硬化および乾燥工程→（v ）クレンザーを用いた未硬化ジェルの除去手順→（vi）表面をなめらかに仕上げるファイリング（piling）段階→（vii）装飾シート適用フェーズ→（viii）透明ジェルネイルの塗布段階（図1a〜図1g参照）。
【０００６】
このようなジェルネイル施術過程は非常に長い時間を要する面倒で複雑な作業で、その最も大きな理由は、ジェルネイルの硬化段階で硬化せず残存する未硬化ジェルがあるためだ。ジェルネイルをライトを利用して、いくら順調に硬化させても未硬化ジェルが残存することになり、これらの未硬化ジェルは装飾シート生地の粘着剤成分の接着力を落とす原因物質となる。したがって、シール付着前の未硬化ジェルの除去に多くの時間と労力を費やす必要があり、その施術過程が難しいという欠点があった。また、未硬化ジェルのべたつきはシートの接着剤の接着機能を落としシートが落ちる原因にもなるので、未硬化ジェルの除去は装飾シートの寿命にも影響を与える要因となってきた。
【０００７】
さらに、未硬化ジェルを除去するためのファイリング時に発色ネイルの色味が落ちることが懸念され発色ネイル硬化後に透明ジェルネイルをもう一度塗布して保護し、透明ジェルネイルの追加塗布および粘着生地シートの貼付で比較的厚く施術なければならず、したがって、ジェル施術後の除去にも長時間を要するという欠点があった。
【０００８】
既存のネイルアート用シートは接着力がある生地の上に印刷する方式で製造し、シート製造のための生地自体の厚みにより、爪に付着した後、摩擦などによりよく落ちるという欠点もあった。
【先行技術文献】
【特許文献】
【０００９】
【特許文献１】大韓民国特許登録第10-1528865号
【発明の概要】
【発明が解決しようとする課題】
【００１０】
本発明は、生地の化学粘着成分の接着力ではなく、シートの静電気と未硬化ジェルのべたつきを利用して接着できる新しいジェルネイル専用デコレーションシートを提供することを目的とする。
【００１１】
また、本発明は、未硬化ジェルの除去作業を省略し簡素化されたジェルネイル施術方法を提供することを目的とする。
【課題を解決するための手段】
【００１２】
本発明のジェルネイル用シートは、
PETフィルム離型紙（1）;
アクリル系樹脂離型コーティング層（2）;
アクリル系ウレタンカラーインク層（3）;
第1のウレタンコーティング層（4）;
第2のウレタンコーティング層（5）
を含むことを特徴とする。
【００１３】
本発明のシートを利用したジェルネイル施術過程は、
ジェルネイルの塗布段階（図4a）、
ジェルネイルの硬化段階;
デコレーションシートの貼付段階（図4b）および
透明ジェルネイル塗布段階（図4c）
で構成されている。
【発明の効果】
【００１４】
本発明のシートは、既存のネイルアート用シートに比べて薄く未硬化ジェルの粘着性をそのまま利用してシート固定が可能になり、施術過程の短縮だけでなくシートの製造に必要な生地のコストも削減される効果がある。また、より厚みが薄いジェルネイル施術が可能になりジェルネイルの除去でも時間と労力が短縮される効果が期待される。さらに、これらのジェルネイル施術時間の短縮、施術過程の簡素化などにより、ジェルネイルにデコレーションシート消費の促進が期待できるだろう。
【図面の簡単な説明】
【００１５】
【図１ａ】従来のジェルネイルシートを利用したネイル施術のジェルネイルを塗布する過程を示す。
【図１ｂ】従来のジェルネイルシートを利用したネイル施術のジェルネイル硬化後、未硬化ジェルをクレンザーを用いて除去する過程を示したもの。
【図１ｃ】既存のジェルネイルシートを利用したネイル施術の未硬化ジェルを除去するために、ファイリング（piling）する過程を示したもの。
【図１ｄ】既存の接着性ジェルネイルシートをネイル上部に付着する過程を示したもの。
【図１ｅ】既存の接着性ジェルネイルシートをネイル上部に付着する過程を示したもの。
【図１ｆ】従来のジェルネイルシートを利用したネイル施術でシール付着後、2つの透明ジェルを塗布する過程を示したもの。
【図１ｇ】従来のジェルネイルシートを利用したネイル施術でシール付着後、2つの透明ジェルを塗布する過程を示したもの。
【図２】本発明シートの一製造例で、積層構造を示す断面。
【図３】粘着剤が塗布された生地に印刷する従来の方式で作られた既存のジェルネイルシートの積層構造を示す断面。
【図４ａ】本発明のジェルネイルシートを利用したネイル施術のジェルネイルを塗布する過程を示したもの。
【図４ｂ】本発明のジェルネイルシートを利用したネイル施術のジェルネイル硬化後、本発明のジェルネイルシートをネイル上部に付着する過程を示している。
【図４ｃ】本発明のジェルネイルシール付着後、1つの透明ジェルを塗布する過程を示している。
【図５】従来のジェルネイルシートを本発明の施術方法でネイル上部に接着する場合の結果を示す写真。
【図６】本発明の施術方法による本発明のジェルネイルシール付着後の厚みを示す写真である。
【発明を実施するための形態】
【００１６】
以下、本発明の実施の形態について図面を参照して説明する。
【００１７】
本発明のジェルネイル用シートは、PETフィルム離型紙（1）;アクリル系樹脂離型コーティング層（2）;アクリル系ウレタンカラーインク層（3）;第1のウレタンコーティング層（4）;第2のウレタンコーティング層（5）を含むことを特徴とする。
【００１８】
上記アクリル系樹脂離型コーティング層（2）は、PETフィルム離型紙（1）の上部に塗布してフィルム離型紙とシートの離脱を容易にする機能を果たし、アクリル系ウレタンカラーインク層（3）は、アクリル系の樹脂離型コーティング層（2）の上部に噴射塗布して装飾模様を形成し、またフィルム離型紙との静電結合力を形成する重要な役割を果たしている。第1のウレタンコーティング層（4）は、ウレタンカラーインク層（3）の上部に噴射塗布し装飾模様の表面を保護し、シート全体の軟質性を形成するのに重要な役割を果たし、第2のウレタンコーティング層（5）は、紫外線から装飾模様の変色や爪を保護する役割を担う。
【００１９】
本発明のジェルネイルシートの一具体例は、図2に示したとおりで、PETフィルム離型紙（1）の上部に塗布してフィルム離型紙とシート離脱のためのアクリル系樹脂離型コーティング層（2）、装飾模様を形成し、フィルム離型紙との静電結合力を形成するアクリル系ウレタンカラーインク層（3 ）、装飾模様の表面を保護し、シール全体の軟質性を形成する第1のウレタンコーティング層（4）、および紫外線から装飾模様の変色や爪を保護する役割を果たす第2のウレタンコーティング層（5）で構成されている。
【００２０】
通常、ネイルアート用シートは、ポリウレタン樹脂などの下部面に接着剤を塗布して準備された生地の上部にシートデザインを印刷する方式で製造されてきた（図3）。図3は、従来の方法で製造された接着性のある生地の上部に印刷されたシートの構成概要を示している。図3のシートを利用する場合も1a〜図1gに示すように、（i）発色用ジェルネイルの塗布段階→（ii）透明ジェルネイルの塗布段階→（iii）ジェルネイル乾燥専用ライトを用いたジェル硬化段階→（iv）専用ライトを用いたジェル硬化および乾燥工程→（v）洗顔料を用いた未硬化ジェルの除去段階→（vi）表面をなめらかに仕上げるファイリング（piling）段階→（vii）装飾シート適用フェーズ→（viii）透明ジェルネイルの塗布段階を経てジェルネイル施術が行われてきた。
【００２１】
本発明は、通常のシートとは異なり、接着剤が塗布された生地でなく透明フィルム離型紙の上にインクを噴射塗布してシールをフィルム離型紙の間に形成された静電気を利用して、ジェルネイル上部に固定することができるように開発されたジェルネイル専用シートである。本発明のジェルネイルシートの支持台であるフィルム紙から希望のシートを剥がすとシートのウレタンコーティング層とフィルムの間に形成された静電気がそのままシートに残り、静電気やジェルネイルに残った未硬化ジェルとの相互作用で必要な位置に付着させ、固定することができる。
【００２２】
本発明のシートを利用すれば、ジェルネイル施術過程を簡素化することができる（図4a〜図4c）。
【００２３】
本発明のシートを利用したジェルネイル施術過程は、ジェルネイルの塗布段階（図4a）、ジェルネイルの硬化段階;デコレーションシートの貼付段階（図4b）および透明ジェルネイル塗布段階（図4c）で構成されている。
【００２４】
つまり、従来の接着剤生地を用いたシートで施術する場合、約8段階にわたる施術を行うが、本発明ではデコレーションシート付着まで約4段階で施術が完成する。時間的に見ると、約50％以上の施術時間と施術作業が短縮される効果がある。
【００２５】
既存のジェルネイルシートで本発明の施術方法を用いてネイルを施術した場合、シールが残存した未硬化ジェルの作用できちんと接着できず浮いてしまう。このような施術結果を図5に示した。
【００２６】
接着剤が塗布された生地を使用する従来のジェルネイルシートに比べて、本発明のシートはフィルム離型紙を含む約200ミクロン、離型紙から分離されたシートのみの厚さは約60-75ミクロンと薄くシートの密着力も比較的良好なだけでなく、完成したジェルネイルの厚さが薄くなる効果がある（図6）。図6に示すように、本発明のシートを使用したネイル施術結果は非常に薄くなる効果がある。
【００２７】
ジェルネイルの厚さが薄いためリムーバーが浸透する時間が短縮されジェルネイルの除去にかかる時間と労力が減る効果がある。
【００２８】
実験例：本発明シートの効果についての官能テスト。
【００２９】
本発明のジェルネイルシートを2015.07.20〜2015.07.24までの5日間にわたり、ソウル、大邱、浦項、釜山と光州地域の30代の女性50人を対象に、本発明シールを利用したジェルネイル施術と従来のジェルネイルシートを利用したジェルネイル施術を受けた後、本発明のシートを利用したジェルネイル施術に対する満足度を調査した。
【００３０】
その結果は、下記の表の通りである：
【表１】
2017029679.tif 000003
【００３１】
上記で満足と非常に満足を選択した人を対象に、本発明のシートを利用した施術に満足している理由についてチェックした。その結果は、下記の表の通りである：
【表２】
2017029679.tif 000004
【産業上の利用可能性】
【００３２】
本発明のシールを使用すると、シート装飾が並行されるジェルネイル施術において、より簡素化された作業で完成度と満足度を向上させることができるので、ジェルネイルの需要を増大させネイルアート産業の発展を図ることができるだろう。
【符号の説明】
【００３３】
a：フィルム離型紙層
b：粘着剤が塗布された生地層
c：模様印刷されたインク塗布層
1：フィルム離型紙層（PET）
2：アクリル系樹脂離型コーティング層
3：アクリル系ウレタンカラーインク層
4：第1のウレタンコーティング層
5：第2のウレタンコーティング層
【図１ａ】
2017029679.tif 000005
【図１ｂ】
2017029679.tif 000006
【図１ｃ】
2017029679.tif 000007
【図１ｄ】
2017029679.tif 000008
【図１ｅ】
2017029679.tif 000009
【図１ｆ】
2017029679.tif 000010
【図１ｇ】
2017029679.tif 000011
【図２】
2017029679.tif 000012
【図３】
2017029679.tif 000013
【図４ａ】
2017029679.tif 000014
【図４ｂ】
2017029679.tif 000015
【図４ｃ】
2017029679.tif 000016
【図５】
2017029679.tif 000017
【図６】
2017029679.tif 000018